(57)【要約】【課題】  煙濃度が火災発生と判断する閾値以下であっても、特定の濃度に達したらその状況を通知する機能を備えたインターホンシステムを提供する。【解決手段】  居室親機２には警報器カメラ３５を備えた火災警報器３が接続される一方、インターネットＮを介して外部監視機関ＳのＰＣ８と通信を可能とした。居室親機２は火災警報器３から送出される煙濃度情報から２段階の判定を実施し、煙濃度が所定の第１の濃度に達したら火災発生前兆信号を発すると共に、第１の濃度より濃い所定の第２の濃度に達したら火災発生信号を発し、この信号をインターネットＮを介してＰＣ８に送信した。また、この信号の送信に合わせて警報器カメラ３５の撮像映像も送信し、ＰＣ８にて警報を発報させると共に警報器カメラ３５の撮像映像を表示させた。【選択図】  図１
2009237991.tif 000002
【特許請求の範囲】
【請求項１】
居住者を呼び出すための玄関子機と、前記玄関子機からの呼び出しに応答するための居室親機とを有し、前記居室親機には火災警報器が接続されて火災発報機能を備えたインターホンシステムであって、
前記火災警報器は、煙センサと煙濃度情報出力部と室内を撮像するカメラとを備える一方、
前記居室親機は、前記火災警報器から送出される煙濃度情報から、煙濃度が所定の第１の濃度に達したら火災発生前兆段階と判断して火災発生前兆信号を送出し、前記第１の濃度より濃い所定の第２の濃度に達したら火災発生確定と判断して火災発生信号を送出し、２段階で火災の発生を判定する警報制御部と、前記火災発生前兆信号及び火災発生信号を住戸外へ送出するための警報信号出力部とを有し、
前記警報制御部は、前記火災発生前兆信号の送信に合わせて前記カメラの撮像映像を前記警報信号出力部から送出することを特徴とするインターホンシステム。
【請求項２】
居住者を呼び出すための玄関子機と、前記玄関子機からの呼び出しに応答するための居室親機とを有し、前記居室親機には煙を検知する煙センサと煙濃度情報出力部とを備えた火災警報器が接続されて火災発報機能を備えたインターホンシステムであって、
前記居室親機は、前記火災警報器から送出される煙濃度情報から、煙濃度が所定の第１の濃度に達したら火災発生前兆段階と判断して火災発生前兆信号を送出し、前記第１の濃度より濃い所定の第２の濃度に達したら火災発生確定と判断して火災発生信号を送出し、２段階で火災の発生を判定する警報制御部と、前記火災発生前兆信号及び火災発生信号を外部に送出する警報信号出力部と、前記警報制御部の動作を火災発生前兆段階から火災発生動作に移行させる非常ボタンとを有することを特徴とするインターホンシステム。
【請求項３】
前記警報信号出力部は、公衆通信網を介して外部監視機関等に設置された外部報知手段と通信する通信部を有し、前記外部報知手段では受信した火災発生前兆信号と火災発生信号とで、異なる発報を行うことを特徴とする請求項１又は２記載のインターホンシステム。
【請求項４】
前記警報信号出力部は、公衆通信網を介して外部監視機関等に設置された外部報知手段と通信する通信部を有し、前記通信部から前記火災発生前兆信号、或いは前記火災発生信号に加えて、前記カメラの撮像映像も送信され、
前記外部報知手段は、前記カメラの撮像映像を出画する出画手段を有することを特徴とする請求項１記載のインターホンシステム。
【請求項５】
前記外部報知手段は、火災発生前兆信号を送信している前記居室親機に対して、前記火災発生前兆段階から火災発生段階に移行させる確定ボタンと、当該確定ボタンの操作信号を返信する通信部を有し、
前記居室親機の前記警報制御部は、前記操作信号を受けて、送出する信号を前記火災発生前兆信号から前記火災発生信号に変更することを特徴とする請求項４記載のインターホンシステム。
【発明の詳細な説明】
【技術分野】
【０００１】
本発明はインターホンシステムに関し、特に煙を検知して火災発生を報知する火災警報器が接続されたインターホンシステムに関する。
【背景技術】
【０００２】
従来の火災警報器が接続されたインターホンシステムには、例えば特許文献１に記載された構成のものがある。特許文献１では、インターホンを構成する居室親機に火災感知器（火災警報器）が接続され、火災警報器が火災発生を感知して火災発生信号を発したら、居室親機において火災発生を通知するメッセージ音が報音された。そして、携帯端末を携行している居住者に対しても、携帯端末に火災発生信号が送信された。
また、このように住戸内に設置される火災警報器は、煙の濃度を監視して火災発生を判定する構成のものが広く使用されている。具体的には、煙センサや判定回路を備えて、煙センサが煙の濃度を常時監視し、検知した煙濃度が閾値（例えば、濃度１０％）を超えると、火災発生と判断して火災発生信号が出力されるよう構成されている。
【０００３】
【特許文献１】特開平１１−２６１７１２号公報
【発明の開示】
【発明が解決しようとする課題】
【０００４】
上記従来のインターホンシステムは、火災警報器が火災発生を感知したら居室親機が通報動作することで、居住者には通知することが可能となっている。しかしながら、居住者が警報を認識でない場所にいた場合や、認識できても対処できない状況にある場合は、折角警報を発しても役にたたなかった。
そのような理由から、外部の監視機関に同時に通報して確実に対処可能とする構成が考えられるが、外部の監視機関に火災発生を通報しても火災が発生してからの通報では手遅れになる場合が多く、早い段階での通報が望まれていた。ところが、火災警報器が火災発生を判定する煙濃度は所定の１つの閾値しかないため、火災発生の予兆を検知して早期に通知することは難しかった。
【０００５】
そこで、本発明はこのような問題点に鑑み、煙濃度が火災発生と判断する閾値以下であっても、特定の濃度に達したら、その状況を通知する機能を備えたインターホンシステムを提供することを目的としている。
【課題を解決するための手段】
【０００６】
上記課題を解決する為に、請求項１の発明は、居住者を呼び出すための玄関子機と、玄関子機からの呼び出しに応答するための居室親機とを有し、居室親機には火災警報器が接続されて火災発報機能を備えたインターホンシステムであって、火災警報器は、煙センサと煙濃度情報出力部と室内を撮像するカメラとを備える一方、居室親機は、火災警報器から送出される煙濃度情報から、煙濃度が所定の第１の濃度に達したら火災発生前兆段階と判断して火災発生前兆信号を送出し、第１の濃度より濃い所定の第２の濃度に達したら火災発生確定と判断して火災発生信号を送出し、２段階で火災の発生を判定する警報制御部と、火災発生前兆信号及び火災発生信号を住戸外へ送出するための警報信号出力部とを有し、警報制御部は、火災発生前兆信号の送信に合わせてカメラの撮像映像を警報信号出力部から送出することを特徴とする。
【０００７】
この構成によれば、火災発生前の僅かな煙濃度の状態であっても、所定の濃度に達したら、その情報を外部に報知するし、合わせて煙を検知した室内の映像情報も外部に送出する。従って、外部の監視機関、或いは集合住宅の管理室で住戸の火災発生を監視するような場合、火災発生前兆信号を受信することで、火災が発生する直前の状況を把握することが可能となり、火災発生に至った場合に対処しやすい。
そして、火災警報器が動作した部屋の状況も映像情報から確認できるので、早期に状況を把握することができ、状況の把握に役立つ。また、この映像は火災発生前兆段階と判断されなければ、見ることができないので、居住者のプライバシーを保護できる。。
【０００８】
請求項２の発明は、居住者を呼び出すための玄関子機と、玄関子機からの呼び出しに応答するための居室親機とを有し、居室親機には煙を検知する煙センサと煙濃度情報出力部とを備えた火災警報器が接続されて火災発報機能を備えたインターホンシステムであって、居室親機は、火災警報器から送出される煙濃度情報から、煙濃度が所定の第１の濃度に達したら火災発生前兆段階と判断して火災発生前兆信号を送出し、第１の濃度より濃い所定の第２の濃度に達したら火災発生確定と判断して火災発生信号を送出し、２段階で火災の発生を判定する警報制御部と、火災発生前兆信号及び火災発生信号を外部に送出する警報信号出力部と、警報制御部の動作を火災発生前兆段階から火災発生動作に移行させる非常ボタンとを有することを特徴する。
【０００９】
この構成によれば、煙濃度が火災発生と判断するレベルに達しなくても、低濃度の所定の濃度の煙が発生したら、それを報知する。また、煙濃度が低濃度であっても、非常ボタンを操作すれば居室親機が火災発生動作に移行する。従って、玄関子機で火災発生時に警報を発するように構成されている場合、或いは集合住宅において管理室に火災発生時に警報を発するよう構成されている場合、火災発生前兆段階の時点で、居住者の判断で火災確定動作に移行させることができ、速やかに火災発生の報知を実施できる。
【００１０】
請求項３の発明は、請求項１又は２に記載の発明において、警報信号出力部は、公衆通信網を介して外部監視機関等に設置された外部報知手段と通信する通信部を有し、外部報知手段では受信した火災発生前兆信号と火災発生信号とで、異なる発報を行うことを特徴とする。
この構成によれば、遠方の外部監視機関等で自宅住戸の火災発生を監視でき、外部報知手段は火災発生には至らない火災発生前兆信号と火災発生が確定した火災発生信号とを異なる発報を実施するので、監視者は状況を把握し易い。そして、火災発生の前兆を把握できるので、対処し易い。
【００１１】
請求項４の発明は、請求項１に記載の発明において、警報信号出力部は、公衆通信網を介して外部監視機関等に設置された外部報知手段と通信する通信部を有し、通信部から火災発生前兆信号、或いは火災発生信号に加えて、カメラの撮像映像も送信され、外部報知手段では、カメラの撮像映像を出画する出画手段を有することを特徴とする。
この構成によれば、外部監視機関等の外部報知手段は、火災発生前兆信号を受けた状態で信号送信元の室内映像を出画するので、監視員等はその映像を見て火災が発生しそう、或いは発生していると判断したら、火災警報を受信する前に消防署等への通報等必要な処置をすることができ、速やかな対応が可能となる。
【００１２】
請求項５の発明は、請求項４に記載の発明において、外部報知手段は、火災発生前兆信号を送信している居室親機に対して、火災発生前兆段階から火災発生段階に移行させる確定ボタンと、当該確定ボタンの操作信号を返信する通信部を有し、居室親機の警報制御部は、操作信号を受けて、送出する信号を火災発生前兆信号から火災発生信号に変更することを特徴とする。
この構成によれば、外部監視機関等の監視員が、火災発生前兆信号を受けて表示されている室内の映像を見て、火災が発生しそう或いは発生していると判断したら、居室親機が発している火災発生前兆信号を火災発生信号に変更することができる。よって、居室親機に正確な動作をさせることができ、居住者や近所の住人に火災発生を速やかに通知できる。
【発明の効果】
【００１３】
本発明によれば、火災発生前の僅かな煙濃度の状態であっても、所定の濃度に達したら、その情報を外部監視機関等外部に報知するし、合わせて煙を検知した室内の映像情報も外部に送出する。従って、外部の監視機関や集合住宅においては管理室でその住戸の火災発生を監視するような場合、火災発生前兆信号を受信することで、火災が発生する直前の状況を把握することが可能となり、火災発生に至った場合に対処しやすい。
そして、部屋の映像も確認できるので、状況を把握して火災発生状況を判断することができるし、この映像は火災発生前兆段階と判断されなければ、見ることができないので、居住者のプライバシーを保護できる。
【発明を実施するための最良の形態】
【００１４】
以下、本発明を具体化した実施の形態を、図面に基づいて詳細に説明する。図１は本発明に係るインターホンシステムの一例を示す構成図であり、Ｐは住戸、Ｓはセキュリティ会社等の外部監視機関、Ｎはインターネットを示している。そして、１は居住者を呼び出すために玄関等に設置された玄関子機、２は玄関子機１からの呼び出しに応答するために住戸内に設置された居室親機、３は住戸内に設置された火災警報器、４は住戸内ＬＡＮ配線に居室親機２を接続するためのＨＵＢ、５はインターネットＮを介して外部と通信するためのブロードバンド通信装置、６は住戸の外部を監視するための第１監視カメラ、７は住戸内を監視するための第２監視カメラ、８は外部報知手段として外部監視機関Ｓに設置されたパーソナルコンピュータ（以下、単にＰＣとする）である。
【００１５】
玄関子機１及び火災警報器３は、それぞれ伝送線Ｌ１，Ｌ２により居室親機２に接続されている。居室親機２は、ＨＵＢ４を介してブロードバンド通信装置５にＬＡＮ接続され、ブロードバンド通信装置５はインターネットＮに接続されている。また、第１監視カメラ６、第２監視カメラ７はＨＵＢ４を介して居室親機２にＬＡＮ接続されている。一方、ＰＣ８はブロードバンド通信装置９を介してインターネットＮに接続される。ＤはＰＣ８のディスプレイを示し、後述するカメラ撮像映像１１及び火災確定ボタン１２が表示されている状態を示している。
【００１６】
玄関子機１は来訪者を撮像するための子機カメラ１５、呼出ボタン１６、図示しないマイク及びスピーカを備えた通話部１７、居室親機２と通信するインターフェース（子機ＩＦ）１８等を備えている。
【００１７】
居室親機２は、火災警報等の警報音を鳴動させるスピーカ２１、警報表示を行う表示部としてのＬＣＤ２２、ＬＣＤ２２に表示するための画像処理を行うＬＣＤドライバ２３、火災警報器３から送信される煙濃度情報から後述する火災発生前兆段階にあると判断するための第１の濃度や、火災発生と判断する第２の濃度を記憶する親機メモリ２４、火災発生前兆段階において火災発生動作に移行させるための非常ボタン２５、煙濃度信号により火災発生前兆段階や火災発生を判断すると共に、居室親機２全体を制御する親機ＣＰＵ２６、玄関子機１と通信するためのインターフェース（親機第１ＩＦ）２７、火災警報器３と通信するためのインターフェース（親機第２ＩＦ）２８、火災発生前兆信号や火災発生信号を外部監視機関Ｓへ送信し、更には撮像映像を外部監視機関Ｓへ送信するためのインターフェース（親機第３ＩＦ）２９等を備えている。
【００１８】
尚、居室親機２には、玄関子機１と通話するための通話部、及び呼び出しに応答するための通話ボタンを備えているが、省略してある。また、火災発生と判断する第２の濃度とは、従来より火災警報器が火災発生と判断する煙濃度であり、例えば煙濃度１０％をいい、火災発生前兆段階にあると判断する第１の濃度は、それより低い例えば煙濃度５％をいう。
【００１９】
火災警報器３は、煙センサ３１、煙センサ３１の検知信号から煙濃度を換算するための換算テーブルを記憶した警報器メモリ３２、煙センサ３１の検知信号から煙濃度を換算すると共に火災警報器３を制御する警報器ＣＰＵ３３、火災発生時に警報音を発する警報器スピーカ３４、室内を撮像する警報器カメラ３５、煙濃度情報を送信し、居室親機２と通信するためのインターフェース（警報器ＩＦ）３６等を備えている。
【００２０】
このように構成されたインターホンシステムは、以下のように動作する。但し、インターホンの基本動作である、玄関子機１からの呼び出し、及びその呼び出しに対する居室親機２による応答動作、更には呼出操作により子機カメラ１５が撮像を開始して居室親機２のＬＣＤ２２にその撮像画像が表示される動作は、従来と同様であるため説明を省略し、ここでは火災警報器３が動作した場合のシステムの動作を説明する。
【００２１】
火災警報器３は、煙センサ３１が検知する煙濃度情報を警報器ＣＰＵ３３が常時受信し、受信した信号は警報器メモリ３２内の換算テーブルを基に煙濃度が換算される。換算された煙濃度信号は、随時警報器ＩＦ３６から居室親機２へ送信される。
【００２２】
図２〜図４は煙濃度信号を受信した居室親機２の動作の流れを示すフローチャートであり、このフローに基づいて説明する。煙濃度信号を受信した居室親機２は、親機ＣＰＵ２６の制御により次のように動作する。
親機第２ＩＦ２８から常時煙濃度信号を受信（Ｓ１）した居室親機２は、受信した煙濃度信号を親機メモリ２４に記憶されている閾値（第１の濃度及び第２の濃度）と比較し、煙濃度が記憶している火災発生の前兆段階レベルである第１の濃度に達し（Ｓ２）、火災発生レベルである第２の濃度未満（Ｓ３）であったら前兆段階モードに移行（Ｓ４）し、火災発生前兆段階レベルを超え（Ｓ２）、更に火災発生レベル以上（Ｓ３）になったら火災発生モードに移行（Ｓ５）する。
【００２３】
前兆段階モードに移行すると、まずスピーカ２１を鳴動させて火災の前兆報知（Ｓ１１）をする。そして、火災警報器３へカメラ起動信号を送信して警報器カメラ３５を起動させ、警報器カメラ３５の撮像映像信号の受信を開始（Ｓ１２）し、第１監視カメラ６及び第２監視カメラ７の撮像映像の受信をＨＵＢ４、親機第３ＩＦ２９を介して開始（Ｓ１３）し、更に玄関子機１の子機カメラ１５撮像映像の受信を親機第１ＩＦ２７を介して開始（Ｓ１４）する。
【００２４】
この映像の受信に平行して、火災発生前兆信号が親機第３ＩＦ２９からＰＣ８に向けて出力される（Ｓ１５）。出力された火災発生前兆信号は、ＨＵＢ４、ブロードバンド通信装置５、インターネットＮを介して外部監視機関Ｓに送信され、ブロードバンド通信装置９を介してＰＣ８にて受信される。
この火災発生前兆信号を受信したＰＣ８は、図示しない報音部から前兆報知を行う。尚、親機第３ＩＦ２７からＰＣ８に向けて送出される信号は、送信先のＩＰアドレス等が付与され送出されている。
【００２５】
居室親機２は、第１監視カメラ６、第２監視カメラ７、子機カメラ１５、警報器カメラ３５、の撮像映像を受信すると、順次切り替えてＬＣＤ２２に表示する（Ｓ１６）。そして、ＬＣＤ２２に表示される映像情報は親機第３ＩＦ２９から外部監視機関Ｓに向けて送出される（Ｓ１７）。この映像信号は、ＨＵＢ４、ブロードバンド通信装置５、インターネットＮ、ブロードバンド通信装置９を介して外部監視機関ＳのＰＣ８にて受信される。
【００２６】
この映像信号を受信したＰＣ８は、図１に示すように、ディスプレイＤに受信した映像１１を表示すると共に、火災確定ボタン１２を表示する。ディスプレイＤはタッチパネルでもあり、表示されている火災確定ボタン１２がタッチされると、ＰＣ８はそのタッチ操作を検知し、所定の動作を実施する。
【００２７】
その後、前兆報知動作している居室親機２に気づいた居住者が、ＬＣＤ２２に表示されているカメラ撮像映像を見て、或いは直接現場を見て火災発生と判断したら非常ボタン２５を押下する（Ｓ１８）と、居室親機２は火災発生モードへ移行（Ｓ２０）し、火災発生前兆信号に替えて火災発生信号を親機第３ＩＦ２９から出力する。
【００２８】
一方で、火災発生前兆信号を受信して、映像１１及び火災確定ボタン１２が表示されているディスプレイＤを見ている外部監視機関Ｓの監視者が、表示映像から火災が発生しそう或いは発生していると判断した場合に、火災確定ボタン１２がタッチされると、火災発生前兆信号の経路とは逆の経路を辿り、居室親機２へ火災確定信号（火災発生信号）が送信される。居室親機２は、この火災確定信号を受信（Ｓ１９）したら前兆段階モードから火災発生モードへ移行する（Ｓ２０）。
こうして、火災発生前兆段階であっても、居室親機２の操作、或いは外部監視機関Ｓからの信号で火災発生モードに移行する。
【００２９】
次に火災発生モード動作を説明する。居室親機２は火災発生モードに移行すると、まず火災発生報知音をスピーカ２１から鳴動させ（Ｓ２１）、ＬＣＤ２２に火災発生を表示、例えば「火災が発生しました」等の表示を行う（Ｓ２２）。そして、玄関子機１に対して警報音を送信すると共に、火災警報器３に警報音鳴動信号を送信して双方に火災発生の報知動作をさせる（Ｓ２３）。
【００３０】
そして、上記前兆段階モード動作と同様に火災警報器３へカメラ起動信号を送信して警報器カメラ３５の撮像を開始或いは動作を継続させ、第１監視カメラ６及び第２監視カメラ７の撮像映像をＨＵＢ４、親機第３ＩＦ２９を介して受信を開始或いは継続し（Ｓ２４）、更に玄関子機１の子機カメラ１５撮像映像の受信を親機第１ＩＦ２７を介して開始或いは継続させ（Ｓ２５）、警報器カメラ３５の撮像映像信号の受信を開始或いは継続させる（Ｓ２６）。
【００３１】
この受信動作に並行して、火災発生信号が親機第３ＩＦ２９からＰＣ８に向けて出力される（Ｓ２７）。出力された火災発生信号は、ＨＵＢ４、ブロードバンド通信装置５、インターネットＮを介して外部監視機関Ｓに送信され、ブロードバンド通信装置９を介してＰＣ８にて受信される。火災発生信号を受信したＰＣ８は、図示しない報音部から火災発生警報を発報する。
尚、ＰＣ８から火災発生確定信号を受信して火災発生モードに移行した場合は、火災発生信号のＰＣ８への送信はなく、火災確定ボタン１２が操作された時点で火災発生警報を発報する。また、この時発報される火災発生警報は、火災発生前兆信号と時とは異なる警報である。
【００３２】
一方、居室親機２は、第１監視カメラ６、第２監視カメラ７、子機カメラ１５、警報器カメラ３５の撮像映像を受信すると、上記前兆段階モードと同様に順次切り替えてＬＣＤ２２に表示させる（Ｓ２８）。そして、ＬＣＤ２２に表示される映像情報が外部監視機関Ｓにも送信（Ｓ２９）され、ＰＣ８にて受信される。この映像信号を受信したＰＣ８は、ディスプレイＤに受信した映像を表示する。
【００３３】
このように、火災発生前の僅かな煙濃度の状態であっても、所定の濃度に達したら、その情報を外部に報知するので、外部の監視機関、或いは集合住宅の管理室等で住戸の火災発生を監視するような場合、火災発生前兆信号を受信して火災が発生する直前の状況を把握することが可能となり、火災発生に至った場合に対処しやすい。
そして、合わせて煙を検知した室内の映像情報も外部に送出することで、火災警報器が動作した部屋の状況も映像情報から確認でき、早期に状況を把握することができて状況の把握に役立つ。また、この映像は火災発生前兆段階と判断されなければ、見ることができないので、居住者のプライバシーを保護できる。
また、火災発生前の前兆段階でも、居室親機に設けられた非常ボタンが操作されたら火災発生動作に移行するので、居住者の判断で火災確定動作に移行させることができ、速やかに火災発生の報知を実施できる。
【００３４】
また、外部監視機関で自宅住戸の火災発生を監視し、外部報知手段としてのパーソナルコンピュータは火災発生には至らない火災発生前兆信号と火災発生が確定した火災発生信号とについて異なる発報及び表示を実施するので、監視者は状況を把握し易い。そして、火災発生の前兆を把握できるので、対処し易い。
更に、パーソナルコンピュータは、火災発生前兆信号を受けて信号送信元の室内映像を出画するので、監視員等はその映像を見て火災が発生しそう、或いは発生していると判断したら、火災警報を受信する前に消防署等への通報等必要な処置をすることができ、速やかな対応が可能となる。
また、パーソナルコンピュータに火災確定ボタンを設けられているので、セキュリティ会社等の監視員が、火災発生前兆信号を受けた状態で表示されている室内の映像を見て、火災が発生しそう或いは発生していると判断したら、居室親機が発している火災発生前兆信号を火災発生信号に変更することができるので、居室親機に正確な動作をさせることができ、居住者や近所の住人に火災発生を速やかに通知できる。
【００３５】
尚、上記実施形態では、火災警報器３に設けた警報器カメラ３５の映像に加えて、玄関子機１の子機カメラ１５の映像、住戸外を撮像する第１監視カメラ６、住戸内を撮像する第２監視カメラ７の撮像映像を合わせて外部監視機関Ｓへ送信しているが、作動した火災警報器３に備えられた警報器カメラ３５の撮像映像を送信するだけでも、火災の監視に十分有効である。
また、火災警報器３は発報機能及びカメラ（警報器カメラ３５）を備えているが、居室親機２等が発報機能を備えていれば発報機能は無くとも良いし、カメラは関連する室内を撮像するものであれば独立して設けても良い。
更に、セキュリティ会社等の外部監視機関Ｓに通知する構成としているが、管理室や警備員室を備えた集合住宅では、火災発生前兆信号や火災発生信号を管理室等へ通知しても良う、その場合はインターネットＮを使用せずＬＡＮ接続すれば良い。
【図面の簡単な説明】
【００３６】
【図１】本発明に係るインターホンシステムの一例を示す構成図である。
【図２】火災警報器からの信号を受けた居室親機の動作の流れを示すフローチャートである。
【図３】図２のＡ１を具体的に示すフローチャートである。
【図４】図２のＡ２を具体的に示すフローチャートである。
【符号の説明】
【００３７】
１・・玄関子機、２・・居室親機、３・・火災警報器、５・・ブロードバンド通信装置（通信部）、８・・パーソナルコンピュータ（外部報知手段）、１２・・火災確定ボタン（確定ボタン）、２１・・スピーカ、２２・・ＬＣＤ、２４・・親機メモリ、２５・・非常ボタン、２６・・親機ＣＰＵ（警報制御部）、２９・・親機第３ＩＦ（警報信号出力部）、３１・・煙センサ、３３・・警報器ＣＰＵ、３４・・警報器スピーカ、３５・・警報器カメラ（カメラ）、３６・・警報器ＩＦ（煙濃度情報出力部）、Ｎ・・インターネット（公衆通信網）、Ｐ・・住戸、Ｓ・・外部監視機関、Ｄ・・ディスプレイ（出画手段）。
【図１】
2009237991.tif 000003
【図２】
2009237991.tif 000004
【図３】
2009237991.tif 000005
【図４】
2009237991.tif 000006